(57)【要約】【課題】  たとえばアイランド型のキッチンや対面型のキッチンであって、三方向からアクセス可能で且つ単一の水栓で使い勝手の良いシンクを備えたキッチン。【解決手段】  前方、後方、および少なくとも一方の側方が開放状態で設置されるキッチン（Ｋ）。前方、後方、および一方の側方からアクセス可能なＬ字状のシンク（３）と、Ｌ字状のシンクの外側に凹状の出隅部（３ａ）に隣接して設けられた水栓（４）とを備えている。水栓は、シンクの上方に向かって延びる給水ヘッド（４ａ）を有し、給水ヘッドは、所定の鉛直軸線廻りに回転可能に構成されている。【選択図】  図３
2005192853.tif 000002
【特許請求の範囲】
【請求項１】
前方、後方、および少なくとも一方の側方が開放状態で設置されるキッチンにおいて、
前記前方、前記後方、および前記一方の側方からアクセス可能なＬ字状のシンクと、
前記Ｌ字状のシンクの外側に凹状の出隅部に隣接して設けられた水栓とを備えていることを特徴とするキッチン。
【請求項２】
前記水栓は、前記シンクの上方に向かって延びる給水ヘッドを有し、
前記給水ヘッドは、所定の鉛直軸線廻りに回転可能に構成されていることを特徴とする請求項１に記載のキッチン。
【発明の詳細な説明】
【技術分野】
【０００１】
本発明は、キッチンに関し、特にアイランド型のキッチンや対面型のキッチンにおけるシンク構造に関するものである。
【背景技術】
【０００２】
従来、四方が壁に接することなく設置されるアイランド型のキッチンや、たとえば一方の側面だけが壁に接した状態で設置される対面型のキッチンが知られている。これらのタイプのキッチンでは、アクセス自由度の高い点が特徴であり、シンクに対しても高いアクセス自由度が求められる。
【０００３】
従来技術には、アイランド型のキッチンや対面型のキッチンにも適用可能なシンクとして、アクセス自由度の高いＬ字状のシンクが開示されている（特許文献１を参照）。
【特許文献１】実開平５−６１２６１号公報
【発明の開示】
【発明が解決しようとする課題】
【０００４】
上述の公報に開示された従来のＬ字状のシンクをアイランド型のキッチンや対面型のキッチンに適用した場合、前方、後方および側方の三方向からアクセス可能なシンクを実現することができる。しかしながら、Ｌ字状のシンクの両端部に隣接して２つの水栓が設けられているので、２つの水栓のための配管工事が煩雑になり且つコスト高を招くという不都合があった。
【０００５】
本発明は、前述の課題に鑑みてなされたものであり、たとえばアイランド型のキッチンや対面型のキッチンであって、三方向からアクセス可能で且つ単一の水栓で使い勝手の良いシンクを備えたキッチンを提供することを目的とする。
【課題を解決するための手段】
【０００６】
前記課題を解決するために、本発明では、前方、後方、および少なくとも一方の側方が開放状態で設置されるキッチンにおいて、
前記前方、前記後方、および前記一方の側方からアクセス可能なＬ字状のシンクと、
前記Ｌ字状のシンクの外側に凹状の出隅部に隣接して設けられた水栓とを備えていることを特徴とするキッチンを提供する。
【０００７】
本発明の好ましい態様によれば、前記水栓は、前記シンクの上方に向かって延びる給水ヘッドを有し、前記給水ヘッドは、所定の鉛直軸線廻りに回転可能に構成されている。
【発明の効果】
【０００８】
本発明では、たとえばアイランド型のキッチンや対面型のキッチンのように、前方、後方、および少なくとも一方の側方が開放状態で設置されるキッチンにおいて、前方、後方および一方の側方からアクセス可能なＬ字状のシンクを備え、このＬ字状のシンクの外側に凹状の（内側に凸状の）出隅部に隣接して単一の水栓を設けている。したがって、シンクおよび単一の水栓に対して、前方、後方および側方の三方向からアクセスが容易である。
【０００９】
その結果、Ｌ字状のシンクの両端部に隣接して２つの水栓が設けられている従来技術とは異なり、水栓のための配管工事が簡素になり、且つコストの低減を図ることができる。すなわち、本発明では、たとえばアイランド型のキッチンや対面型のキッチンであって、三方向からアクセス可能で且つ単一の水栓で使い勝手の良いシンクを備えたキッチンを実現することができる。
【００１０】
なお、本発明では、水栓がシンクの上方に向かって延びる給水ヘッドを有し、この給水ヘッドを所定の鉛直軸線廻りに回転可能に構成することにより、シンクの任意の場所において給水ヘッドから供給される水を簡単な操作で随時利用することができ、シンクの使い勝手がさらに向上する。
【発明を実施するための最良の形態】
【００１１】
本発明の実施形態を、添付図面に基づいて説明する。
図１は、本発明の実施形態にかかるキッチンの構成を前方から見て概略的に示す斜視図である。また、図２は、本実施形態にかかるキッチンの構成を後方から見て概略的に示す斜視図である。
【００１２】
また、図３は、本実施形態にかかるキッチンの使用状態における上面図である。なお、本実施形態では、アイランド型のキッチンまたは対面型のキッチンに本発明を適用している。図１〜図３を参照すると、本実施形態にかかるキッチンＫは、床Ｆの上に載置されたベースキャビネット１を備えている。
【００１３】
ベースキャビネット１の上部には、キッチンに向かって左側からガスコンロや電気コンロが設けられた加熱調理部２と、Ｌ字状のシンク３とが設けられている。そして、Ｌ字状のシンク３の出隅部３ａに隣接して、たとえば湯水混合型の水栓４が設けられている。また、図３に示すように、キッチンＫの後方中央に隣接して、ダイニングテーブル５が配置されている。
【００１４】
本実施形態のキッチンＫが対面型である場合、キッチンＫの左側の側面Ｋａだけが壁に接した状態で設置されることになる。一方、本実施形態のキッチンＫがアイランド型である場合、キッチンＫの四方が壁に接することなく設置されることになる。水栓４は、シンク３の上方に向かって延びる給水ヘッド４ａを有する。そして、給水ヘッド４ａは、図４に示すように、水栓４の設置位置において鉛直に延びる軸線廻りに回転可能に構成されている。
【００１５】
本実施形態では、水栓４が、Ｌ字状のシンク３の出隅部３ａに隣接して設けられている。ここで、出隅部３ａとは、Ｌ字状のシンク３の隅部であって、外側に凹状の（内側に凸状の）形態を有する隅部のことである。Ｌ字状のシンク３には合計で６つの隅部が存在するが、水栓４が設けられた出隅部３ａを除く５つの隅部は外側に凸状の（内側に凹状の）形態を有する入隅部である。
【００１６】
以上のように、本実施形態では、シンク３が呈するＬ字の一辺が前面に沿って延び、且つＬ字の他辺が側面に沿って延びている。そして、Ｌ字状のシンク３の出隅部３ａに隣接して、水栓４が設けられている。さらに、水栓４はシンク３の上方に向かって延びる給水ヘッド４ａを有し、給水ヘッド４ａは所定の鉛直軸線廻りに回転可能に構成されている。
【００１７】
こうして、本実施形態では、シンク３および単一の水栓４に対して、前方、後方および側方（キッチンＫの右側）の三方向からアクセスが容易である。その結果、Ｌ字状のシンクに２つの水栓が設けられている従来技術とは異なり、水栓４のための配管工事が簡素になり、且つコストの低減を図ることができる。すなわち、本実施形態では、三方向からアクセス可能で且つ単一の水栓４で使い勝手の良いシンク３を備えたキッチンＫを実現することができる。
【００１８】
また、本実施形態では、シンク３の上方に向かって延びる給水ヘッド４ａが、所定の鉛直軸線廻りに回転可能に構成されている。したがって、給水ヘッド４ａを軸線廻りに回転させるという簡単な操作により、Ｌ字状シンク３の任意の場所において給水ヘッド４ａから供給される水を随時利用することができ、シンク３の使い勝手がさらに向上する。
【００１９】
なお、上述の実施形態では、アイランド型のキッチンまたは対面型のキッチンに本発明を適用しているが、これに限定されることなく、前方、後方、および少なくとも一方の側方が開放状態で設置されるキッチンに対して本発明を適用することができる。
【図面の簡単な説明】
【００２０】
【図１】本発明の実施形態にかかるキッチンの構成を前方から見て概略的に示す斜視図である。
【図２】本実施形態にかかるキッチンの構成を後方から見て概略的に示す斜視図である。
【図３】本実施形態にかかるキッチンの使用状態における上面図である。
【図４】水栓の給水ヘッドが所定の鉛直軸線廻りに回転可能に構成されている様子を示す図である。
【符号の説明】
【００２１】
Ｋ  キッチン
Ｆ  床
１  ベースキャビネット
２  加熱調理部
３  Ｌ字状のシンク
３ａ  シンクの出隅部
４  水栓
４ａ  水栓の給水ヘッド
５  ダイニングテーブル
【図１】
2005192853.tif 000003
【図２】
2005192853.tif 000004
【図３】
2005192853.tif 000005
【図４】
2005192853.tif 000006